(57)【要約】【課題】上側接合部分における接合強度を比較的高く維持しつつ、接合部に触れた着用者又は介護者が不快に感じるのを制限する。【解決手段】パンツ型使い捨ておむつ１は、接合部５Ｌによって互いに接合されている腹側部２及び背側部３を備える。接合部は、内面同士が互いに対面するように重ね合わされた腹側部の横方向Ｗ端部２Ｌ及び背側部の横方向端部３Ｌを、縦方向Ｌに互いに離間しつつ整列された複数の融着部１１によって互いに接合することにより形成されている。接合部の上側接合部分Ｐ５Ｕにおける横方向引張応力が、接合部の下側接合部分Ｐ５Ｌにおける横方向引張応力よりも大きい。上側接合部分におけるマージン１２の横方向寸法が、下側接合部分におけるマージンの横方向寸法よりも大きい。上側接合部分に位置する融着部のそれぞれの面積が、下側接合部分に位置する融着部のそれぞれの面積よりも大きい。【選択図】図４
2020000648.tif 000002
【特許請求の範囲】
【請求項１】
少なくとも１つの接合部によって互いに接合されている腹側部及び背側部を備え、
前記接合部は、内面同士が互いに対面するように重ね合わされた前記腹側部の横方向端部及び前記背側部の横方向端部を、縦方向に互いに離間しつつ整列された複数の融着部によって互いに接合することにより形成されており、
前記接合部がそれぞれ、縦方向に関し、上側に位置する上側接合部分と下側に位置する下側接合部分とに区分され、
前記接合部が横方向に弾性を有するとともに、前記上側接合部分における横方向引張応力が前記下側接合部分における横方向引張応力よりも大きく、
前記接合部が、前記融着部と、前記融着部よりも横方向外側のマージンと、を含み、
前記上側接合部分における前記マージンの横方向寸法が、前記下側接合部分における前記マージンの横方向寸法よりも大きく、
前記上側接合部分に位置する前記融着部のそれぞれの面積が、前記下側接合部分に位置する前記融着部のそれぞれの面積よりも大きい、
吸収性物品。
【請求項２】
前記上側接合部分において、前記マージンの横方向寸法が前記融着部の横方向寸法以上である、請求項１に記載の吸収性物品。
【請求項３】
前記上側接合部分における前記融着部の占有率が、前記下側接合部分における前記融着部の占有率よりも小さい、請求項１又は２に記載の吸収性物品。
【請求項４】
前記上側接合部分における前記融着部の横方向寸法が、前記下側接合部分における前記融着部の横方向寸法よりも小さい、請求項１から３までのいずれか一項に記載の吸収性物品。
【請求項５】
前記上側接合部分における前記融着部の輪郭がその全周にわたり曲線状である、請求項１から４までのいずれか一項に記載の吸収性物品。
【請求項６】
前記上側接合部分において前記融着部の縦方向寸法が前記融着部の横方向寸法以下である、請求項１から５までのいずれか一項に記載の吸収性物品。
【請求項７】
前記吸収性物品が大人用である、請求項１から６までのいずれか一項に記載の吸収性物品。
【発明の詳細な説明】
【技術分野】
【０００１】
本発明は吸収性物品に関する。
【背景技術】
【０００２】
接合部によって互いに接合されている腹側部及び背側部を備え、接合部は、内面同士が互いに対面するように重ね合わされた腹側部の横方向端部及び背側部の横方向端部を、縦方向に互いに離間しつつ整列された複数の融着部によって互いに接合することにより形成されている、パンツ型使い捨ておむつが公知である（例えば、特許文献１，２参照）。
【先行技術文献】
【特許文献】
【０００３】
【特許文献１】特開２０１６−１０７１１７号公報
【特許文献２】特開２０１３−１４６４１９号公報
【発明の概要】
【発明が解決しようとする課題】
【０００４】
ところで、着用者が自らパンツ型おむつを着用するとき、又は、介護者が被介護者にパンツ型おむつを着用させるときに、着用者又は介護者がパンツ型おむつの特にウエスト開口部周りの部分を指で摘んで、パンツ型おむつを引き上げることが想定される。具体的には、着用者は、例えば、その親指をパンツ型おむつの内側に位置させ、人差し指等をパンツ型おむつの外側に位置させて、パンツ型おむつをこれらの指で摘むと考えられる。しかしながら、このときに着用者又は介護者の人差し指等が接合部に触れるおそれがある。接合部には複数の融着部が存在しており、これら融着部は比較的硬い。したがって、パンツ型おむつの着用時に着用者又は介護者が不快に感じるおそれがある。あるいは、パンツ型おむつの着用後、その上に衣類を着用する前に、着用者又は介護者の腕などが接合部に触れたときにも、同様の問題が生じうる。この点、例えば、融着部の面積を小さくすれば、着用者又は介護者が不快に感じるのを制限できるかもしれない。しかしながら、融着部の面積を小さくすると、接合部の接合強度が低下するおそれがある。
【課題を解決するための手段】
【０００５】
本開示によれば以下の構成が提供される。
［構成１］
少なくとも１つの接合部によって互いに接合されている腹側部及び背側部を備え、
前記接合部は、内面同士が互いに対面するように重ね合わされた前記腹側部の横方向端部及び前記背側部の横方向端部を、縦方向に互いに離間しつつ整列された複数の融着部によって互いに接合することにより形成されており、
前記接合部がそれぞれ、縦方向に関し、上側に位置する上側接合部分と下側に位置する下側接合部分とに区分され、
前記接合部が横方向に弾性を有するとともに、前記上側接合部分における横方向引張応力が前記下側接合部分における横方向引張応力よりも大きく、
前記接合部が、前記融着部と、前記融着部よりも横方向外側のマージンと、を含み、
前記上側接合部分における前記マージンの横方向寸法が、前記下側接合部分における前記マージンの横方向寸法よりも大きく、
前記上側接合部分に位置する前記融着部のそれぞれの面積が、前記下側接合部分に位置する前記融着部のそれぞれの面積よりも大きい、
吸収性物品。
構成１によれば、着用者又は介護者が触れる可能性が高いと考えられる上側接合部分において、マージンの横方向寸法が比較的大きい。詳しくは後述するが、マージンは融着部を覆うことができる。したがって、マージンにより、着用者又は介護者が接合部ないし融着部に直接的に触れるのが制限される。また、構成１によれば、上側接合部分における横方向引張応力が比較的大きい。その結果、マージンが収縮した状態で融着部の近くに維持される。すなわち、融着部がマージンによって覆われた状態が維持される。更に、横方向引張応力によりマージンがより収縮することによって、マージン自体のクッション性が高められる。したがって、接合部に触れた着用者又は介護者が不快に感じるのが制限される。しかも、上側接合部分に位置する融着部のそれぞれの面積が比較的大きい。したがって、上側接合部分における接合強度が比較的高く維持されつつ、接合部に触れた着用者又は介護者が不快に感じるのが制限される。
【０００６】
［構成２］
前記上側接合部分において、前記マージンの横方向寸法が前記融着部の横方向寸法以上である、構成１に記載の吸収性物品。
構成２によれば、上側接合部分においてマージンがより大きくされる。その結果、上側接合部分において融着部がマージンによってより確実に覆われる。したがって、上側接合部分における接合強度が比較的高く維持されつつ、接合部に触れた着用者又は介護者が不快に感じるのがより制限される。
【０００７】
［構成３］
前記上側接合部分における前記融着部の占有率が、前記下側接合部分における前記融着部の占有率よりも小さい、構成１又は２に記載の吸収性物品。
構成３によれば、上側接合部分において、比較的硬い融着部の占有率が比較的小さい。その結果、上側接合部分の触り心地が、より柔軟になる。したがって、上側接合部分における接合強度が比較的高く維持されつつ、接合部に触れた着用者又は介護者が不快に感じるのがより制限される。
【０００８】
［構成４］
前記上側接合部分における前記融着部の横方向寸法が、前記下側接合部分における前記融着部の横方向寸法よりも小さい、構成１から３までのいずれか一に記載の吸収性物品。
構成４によれば、上側接合部分においてマージンをより大きくすることが可能となる。その結果、上側接合部分において融着部がマージンによってより確実に覆われる。したがって、上側接合部分における接合強度が比較的高く維持されつつ、接合部に触れた着用者又は介護者が不快に感じるのがより制限される。
【０００９】
［構成５］
前記上側接合部分における前記融着部の輪郭がその全周にわたり曲線状である、構成１から４までのいずれか一に記載の吸収性物品。
構成５によれば、収縮したマージンが融着部により容易に近づくことが可能となる。したがって、上側接合部分における接合強度が比較的高く維持されつつ、接合部に触れた着用者又は介護者が不快に感じるのがより制限される。
【００１０】
［構成６］
前記上側接合部分において前記融着部の縦方向寸法が前記融着部の横方向寸法以下である、構成１から５までのいずれか一に記載の吸収性物品。
構成６によれば、上側接合部分の縦方向の柔軟性がより高められる。したがって、上側接合部分における接合強度が比較的高く維持されつつ、接合部に触れた着用者又は介護者が不快に感じるのがより制限される。
【００１１】
［構成７］
前記吸収性物品が大人用である、構成１から６までのいずれか一に記載の吸収性物品。
構成７によれば、大人用の吸収性物品において、上側接合部分における接合強度が比較的高く維持されつつ、接合部に触れた着用者又は介護者が不快に感じるのがより制限される。
【発明の効果】
【００１２】
上側接合部分における接合強度を比較的高く維持しつつ、接合部に触れた着用者又は介護者が不快に感じるのを制限することができる。
【図面の簡単な説明】
【００１３】
【図１】着用状態にある、本開示による実施形態の使い捨ておむつの斜視図である。
【図２】展開状態にある、図１の使い捨ておむつの平面図である。
【図３】横方向から見た、腹側部及び背側部の横方向端部の模式図である。
【図４】伸長状態にある、図１の使い捨ておむつの部分平面図である。
【図５】接合部の部分拡大図である。
【図６】使い捨ておむつの着用時における、上方から縦方向に見た、接合部の模式図である。
【図７】本開示による別の実施形態の接合部を示す拡大平面図である。
【図８】（Ａ）図７のＡ部の拡大図、（Ｂ）図７のＢ部の拡大図、（Ｃ）図７のＣ部の拡大図である。
【図９】本開示による別の実施形態を示す、図４と同様の部分平面図である。
【図１０】本開示による更に別の実施形態を示す、図４と同様の部分平面図である。
【発明を実施するための形態】
【００１４】
図１及び図２には、本開示による実施形態の吸収性物品１が示される。本開示による実施形態では、吸収性物品１はパンツ型使い捨ておむつ（以下、単に「使い捨ておむつ」ともいう。）から構成される。なお、図２において、Ｌは展開状態にある使い捨ておむつ１の縦方向、Ｗは縦方向Ｌに垂直な使い捨ておむつ１の横方向、をそれぞれ示している。また、図２において、ＣＬは縦方向Ｌに関する使い捨ておむつ１の中心を通り横方向Ｗに延びる縦方向中心線を、ＣＷは横方向Ｗに関する使い捨ておむつ１の中心を通り縦方向Ｌに延びる横方向中心線を、それぞれ示している。この場合、縦方向Ｌに関し、縦方向中心線ＣＬに向かう向き及び側が内向き及び内側であり、縦方向中心線ＣＬから離れる向き及び側が外向き及び外側である。一方、横方向Ｗに関し、横方向中心線ＣＷに向かう向き及び側が内向き及び内側であり、横方向中心線ＣＷから離れる向き及び側が外向き及び外側である。一方、図１のＬは着用状態にある使い捨ておむつ１の縦方向を示している。図１における縦方向Ｌ下向き又は下側は図２における縦方向Ｌ内向き又は内側に対応し、図１における縦方向Ｌ上向き又は上側は図２における縦方向Ｌ外向き又は外側に対応する。図３から図１０においても同様である。また、図１，６のＤは使い捨ておむつ１の奥行方向を示している。
【００１５】
図１を参照すると、本開示による実施形態の使い捨ておむつ１は、腹側部２と、背側部３と、腹側部２と背側部３との間の中間部４と、を備える。また、腹側部２と背側部３とは、腹側部２及び背側部３の横方向Ｗ両端に位置する一対の接合部５Ｒ，５Ｌによって互いに接合されている。この場合、腹側部２の上縁２Ｕ及び背側部３の上縁３Ｕは、着用者の上肢が通る単一のウエスト開口ＷＯを画定する。また、中間部４の横方向Ｗの両側縁４Ｓ，４Ｓは、着用者の脚が通る一対のレッグ開口ＬＯ，ＬＯを画定する。なお、着用時において、腹側部２は着用者の腹部に対面して位置し、背側部３は着用者の背部又は尻部に対面して位置し、中間部４は着用者の股部に対面して位置する。
【００１６】
本開示による実施形態では、図２に示される展開状態において、腹側部２及び背側部３はそれぞれ、概ね横方向Ｗに拡がる長方形状をなし、縦方向Ｌに互いに離間して位置する。図２に示される実施形態では、腹側部２の上縁２Ｕ及び背側部３の上縁３Ｕは横方向Ｗに延びる。また、図２に示される実施形態では、腹側部２の横方向Ｗ外縁２ＬＬ，２ＲＲ及び背側部３の横方向Ｗ外縁３ＬＬ，３ＲＲは縦方向Ｌに延びる。一方、中間部４は腹側部２と背側部３との間に位置する。中間部４の横方向Ｗ両側縁４Ｓ，４Ｓは、横方向Ｗ内向きに窪んでいる。なお、本開示による実施形態では、腹側部２、背側部３、及び中間部４は互いに一体的に形成される。別の実施形態（図示しない）では、腹側部２、背側部３、及び中間部４は互いに別個に形成される。
【００１７】
本開示による実施形態では、腹側部２の上縁又は外縁２Ｕに隣接する上側領域Ａ２Ｕ、及び、背側部３の上縁又は外縁３Ｕに隣接する上側領域Ａ３Ｕにそれぞれ、縦方向Ｌに互いに離間しつつ横方向Ｗに延びる複数のウエストギャザー（ＷＧ）弾性部材６ＷＧが伸長状態で設けられる。本開示による実施形態のＷＧ弾性部材６ＷＧは腹側部２の横方向Ｗ一外縁２ＬＬと横方向Ｗ他外縁２ＲＲとの間、及び、背側部３の横方向Ｗ一外縁３ＬＬと横方向Ｗ他外縁３ＲＲとの間に設けられる。また、腹側部２の上側領域Ａ２Ｕよりも縦方向Ｌ内側の下側領域Ａ２Ｌ、及び、背側部３の上側領域Ａ３Ｕよりも縦方向Ｌ内側の下側領域Ａ３Ｌにそれぞれ、縦方向Ｌに互いに離間しつつ横方向Ｗに延びる複数のフィットギャザー（ＦＧ）弾性部材６ＦＧが伸長状態で設けられる。本開示による実施形態のＦＧ弾性部材６ＦＧは腹側部２の横方向Ｗ一外縁２ＬＬと横方向Ｗ他外縁２ＲＲとの間、及び、背側部３の横方向Ｗ一外縁３ＬＬと横方向Ｗ他外縁３ＲＲとの間に設けられる。更に、複数のレッグギャザー（ＬＧ）弾性部材６ＬＧが伸長状態で、伸長方向に垂直な方向に互いに離間しつつ、設けられる。ＬＧ弾性部材６ＬＧは、腹側部２の下側領域Ａ２Ｌに含まれる腹側部２の横方向Ｗ一外縁２ＬＬから、中間部４の一側縁４Ｓに沿いつつ延び、次いで横方向Ｗ中央において横方向Ｗに延びた後に、中間部４の他側縁４Ｓに沿いつつ延び、腹側部２の下側領域Ａ２Ｌに含まれる腹側部２の横方向Ｗ他外縁２ＲＲに至るものと、背側部３の下側領域Ａ３Ｌに含まれる背側部３の横方向Ｗ一外縁３ＬＬから、中間部４の一側縁４Ｓに沿いつつ延び、次いで横方向Ｗ中央において横方向Ｗに延びた後に、中間部４の他側縁４Ｓに沿いつつ延び、背側部３の下側領域Ａ３Ｌに含まれる背側部３の横方向Ｗ他外縁３ＲＲに至るものと、を含む。
【００１８】
上側領域Ａ２Ｕ，Ａ３Ｕには、主としてＷＧ弾性部材６ＷＧにより横方向Ｗの引張応力が作用する。下側領域Ａ２Ｌ，Ａ３Ｌには、主としてＦＧ弾性部材６ＦＧにより横方向Ｗの引張応力が作用する。本開示による実施形態では、上側領域Ａ２Ｕ，Ａ３Ｕにおける横方向Ｗ引張応力が下側領域Ａ２Ｌ，Ａ３Ｌにおける横方向Ｗ引張応力よりも大きい。これを達成するために、例えば、ＷＧ弾性部材６ＷＧ、ＦＧ弾性部材６ＦＧ、及びＬＧ弾性部材６ＬＧの伸長率、本数、太さ、断面形状、などが調整される。
【００１９】
一例では、ＷＧ弾性部材６ＷＧとして、６２０ｄｔｘの複数の糸ゴムが、伸長率２．８倍でもって、６ｍｍ間隔で設けられる。ＦＧ弾性部材６Ｇとして、４７０から９４０ｄｔｘの複数の糸ゴムが、伸長率２．１から２．７倍でもって、７から１５ｍｍ間隔で設けられる。ＬＧ弾性部材６ＬＧとして、６２０ｄｔｘの複数の糸ゴムが、伸長率２．０倍でもって、７．５ｍｍ間隔で設けられる。
【００２０】
本開示による実施形態では、腹側部２、背側部３、及び中間部４は、液不透過性のカバーシート７から形成される。本開示による実施形態のカバーシート７は、互いに重ねられて接着された肌側シート７Ｓ及び非肌側シート７ＮＳを備える。着用状態において、肌側シート７Ｓは着用者に近い側又は内側に位置し、非肌側シート７ＮＳは着用者から遠い側又は外側に位置する。また、本開示による実施形態では、縦方向Ｌの両外端において、非肌側シート７ＮＳが肌側シート７Ｓ上に折り返される。その結果、カバーシート７の縦方向Ｌの両外側部分に、非肌側シート７ＮＳ、肌側シート７Ｓ、及び非肌側シート７ＮＳが順次重なった三層部分７Ｔ，７Ｔが形成される。三層部分７Ｔ，７Ｔは腹側部２及び背側部３に含まれる。一方、カバーシート７の縦方向中央部分には、肌側シート７Ｓ及び非肌側シート７ＮＳが重なった二層部分７Ｄが形成される。上述の弾性部材６ＷＧ，６ＦＧ，６ＬＧは肌側シート７Ｓと非肌側シート７ＮＳとの間に接着される。
【００２１】
カバーシート７は、例えばポリプロピレンやポリエチレンなどのポリオレフィン系材料から形成された、不透過性の不織布や合成樹脂フィルム、これらの複合シート、ＳＢ不織布、ＳＭＳ不織布など、任意の液不透過性シートから形成される。また、カバーシート７の坪量は、例えば５から１００ｇ／ｍ２であり、好ましくは１０から５０ｇ／ｍ２である。カバーシート７の厚さは、例えば０．２から５ｍｍであり、好ましくは０．２から２ｍｍである。別の実施形態（図示しない）では、カバーシート７は単一シートから構成される。また、別の実施形態（図示しない）では、三層部分が設けられず、カバーシート７の全体が二層部分から形成される。
【００２２】
本開示による実施形態の使い捨ておむつ１は更に、カバーシート７の内面上に設けられた吸収性本体８を備える。吸収性本体８は、液透過性の表面シート８Ｆと、液不透過性の裏面シート８Ｂと、表面シート８Ｆと裏面シート８Ｂとの間に位置する吸収体８Ａと、を含む。本開示による実施形態の吸収体８Ａは、本実施の形態では吸収体コアと吸収体コアを包摂するコアラップを含む。吸収体８Ａと表面シート８Ｆ及び裏面シート８Ｂとはそれぞれ接着され、表面シート８Ｆと裏面シート８Ｂとはそれらの周縁部分において接着される。表面シート８Ｆは、例えば液透過性の不織布や織布、液透過孔が形成された合成樹脂フィルム、これらの複合シートなどから形成される。裏面シート８Ｂは、例えば液不透過性の不織布や合成樹脂フィルム、これらの複合シート、ＳＭＳ不織布などから形成される。吸収体８Ａは、パルプ繊維、合成繊維、吸収性ポリマなどから形成される。
【００２３】
本開示による実施形態の使い捨ておむつ１は更に、液不透過性の防漏壁９Ｒ，９Ｌを備える。これら防漏壁９Ｒ，９Ｌは、表面シート８Ｆの横方向Ｗの両側に、縦方向Ｌに沿って配置される。また、防漏壁９Ｒ，９Ｌの先端には、それぞれ縦方向Ｌに延びる弾性部材１０Ｒ，１０Ｌが配置される。
【００２４】
本開示による実施形態では、展開状態にある使い捨ておむつ１が、腹側部２の内面２ｉと背側部３の内面３ｉとが対面するように、例えば縦方向中心線ＣＬに沿って折り曲げられる。この場合、腹側部２の横方向Ｗ一端２Ｌと背側部３の横方向Ｗ一端３Ｌとが互いに重ね合わされる。図３には、互いに重ね合わされた腹側部２の横方向Ｗ一端２Ｌと背側部３の横方向Ｗ一端３Ｌとが模式的に示される。なお、図３においてＴは使い捨ておむつ１の厚さ方向を示している。次いで、融着部形成装置（図示しない）によって端部２Ｌ，３Ｌが厚さ方向Ｔに挟持され、融着部形成装置によって端部２Ｌ，３Ｌに融着部が形成される。その結果、融着部によって端部２Ｌ，３Ｌが互いに接合され、接合部５Ｌが形成される。同様に、腹側部２の横方向Ｗ他端２Ｒと背側部３の横方向Ｗ他端３Ｒとが互いに重ね合わされ、端部２Ｒ，３Ｒに融着部が形成される。その結果、融着部によって端部２Ｒ，３Ｒが互いに接合され、接合部５Ｒが形成される。
【００２５】
本開示による実施形態では、融着部形成装置は超音波発生装置から形成される。すなわち、超音波発生装置から端部２Ｌ，３Ｌ及び端部２Ｒ，３Ｒにそれぞれ超音波エネルギーが印加され、それによって融着部が形成される。
【００２６】
次に、本開示による実施形態の接合部５Ｌ，５Ｒについて更に説明する。本開示による実施形態の使い捨ておむつ１は横方向中心線ＣＷに関して概ね対称的に形成される。したがって、接合部５Ｌと接合部５Ｒとは概ね同様の構成を備える。そこで、以下では、接合部５Ｌについて説明し、接合部５Ｒについての説明は省略する。
【００２７】
図４は、伸長状態にある、本開示による実施形態の使い捨ておむつ１の部分平面図を示している。図４に示されるように、腹側部２の横方向Ｗ端部２Ｌ及び背側部３の横方向Ｗ端部３Ｌが、縦方向Ｌに互いに離間しつつ整列された複数の融着部１１によって互いに接合され、それにより接合部５Ｌが形成される。なお、本開示による実施形態では、腹側部２及び背側部３は互いに他に対して縦方向Ｌにｄだけオフセットされる。このオフセット量ｄは例えば±０．５から１０ｍｍの範囲にある。なお、オフセット量ｄがゼロの場合には腹側部２及び背側部３は互いに他に対して縦方向Ｌにオフセットされていないことになる。一方、腹側部２の横方向Ｗ外縁２ＬＬ及び背側部３の横方向Ｗ外縁３ＬＬは横方向Ｗに関して互いに整列される。
【００２８】
本開示による実施形態の接合部５Ｌは、縦方向Ｌに関し、上側に位置する上側接合部分Ｐ５Ｕと、下側に位置する下側接合部分Ｐ５Ｌと、に区分される。本開示による実施形態では、接合部５Ｌにも、ＷＧ弾性部材６ＷＧ、ＦＴ弾性部材６ＦＧ、及びＬＧ弾性部材６ＬＧが設けられる。したがって、接合部５Ｌは横方向Ｗに弾性又は収縮性を備えている。
【００２９】
本開示による実施形態の上側接合部分Ｐ５Ｕは上述した上側領域Ａ２Ｕ，Ａ３Ｕに対応する。一方、本開示による実施形態の下側接合部分Ｐ５Ｌは上述した下側領域Ａ２Ｌ，Ａ３Ｌに対応する。更に上述したように、上側領域Ａ２Ｕ，Ａ３Ｕにおける横方向Ｗ引張応力が下側領域Ａ２Ｌ，Ａ３Ｌにおける横方向Ｗ引張応力よりも大きい。したがって、上側接合部分Ｐ５Ｕにおける横方向Ｗ引張応力は下側接合部分Ｐ５Ｌにおける横方向Ｗ引張応力よりも大きい。
【００３０】
図５は、本開示による実施形態の接合部５Ｌの拡大図を示している。図５に示される実施形態では、接合部５Ｌは、横方向Ｗに関し、腹側部２の横方向Ｗ外縁２ＬＬ及び背側部３の横方向Ｗ外縁３ＬＬと、縦方向Ｌに延びる基準線ＬＸとの間に画定される。基準線ＬＸは例えば、複数の融着部１１のうち、横方向Ｗの最も内側に位置する部分に沿って縦方向Ｌに延びる。一方、接合部５Ｌは、縦方向Ｌに関し、腹側部２の上縁２Ｕ又は背側部３の上縁３Ｕと、中間部４の側縁４Ｓとの間に画定される（図４参照）。
【００３１】
図５に示されるように、本開示による実施形態の接合部５Ｌは、上述した融着部１１と、融着部１１よりも横方向Ｗ外側のマージン１２と、を含む。マージン１２は、融着部１１を含まない。なお、図５において、Ｗ５Ｌは接合部５Ｌの横方向Ｗ寸法を、Ｗ１１は融着部１１の横方向Ｗ寸法を、Ｌ１１は融着部１１の縦方向寸法を、Ｗ１２はマージン１２の横方向Ｗ寸法を、Ａ１１は各融着部１１の面積を、それぞれ示している。マージン１２の横方向Ｗ寸法は例えば１０ｍｍである。
【００３２】
さて、本開示による実施形態の接合部５Ｌでは、上述したように、融着部１１よりも横方向Ｗ外側にマージン１２が設けられる。このようなマージン１２は融着部１１を覆うことができる。このことを、図６を参照しながら説明する。
【００３３】
図６は、着用者が自ら使い捨ておむつ１を着用するとき、又は、介護者が使い捨ておむつ１を被介護者に着用させるときの、接合部５Ｌを上方から縦方向に見た概略図である。図６において、ＷＢは使い捨ておむつ１に関して着用者側又は内側を、ＮＷＢは使い捨ておむつ１に関して着用者とは反対側又は外側を、それぞれ示す。
【００３４】
着用者又は介護者は、例えば親指Ｆ１と人差し指Ｆ２とで、接合部５Ｌ周りの使い捨ておむつ１を摘み、使い捨ておむつ１を引き上げると考えられる。この場合、図６に示される実施形態では、融着部１１はマージン１２によって覆われる。言い換えると、人差し指Ｆ２と融着部１１との間にマージン１２が介在する。その結果、着用者又は介護者が、比較的硬い融着部１１に直接的に触れるのが制限される。このため、使い捨ておむつ１の外側の肌触りが改善される。したがって、着用者又は介護者が不快に感じるのが制限される。このように、本開示による実施形態は、使い捨ておむつ１を着用し又は着用させるときに、融着部１１により、使い捨ておむつ１の外側に生ずる課題を解決しようとするものである。このような技術的思想はこれまで存在していない。なお、図６に示される実施形態では、親指Ｆ１と融着部１１との間に背側部３が介在しており、使い捨ておむつ１の内側ＷＢでも、着用者又は介護者が融着部１１に直接的に触れるのが制限されている。なお、親指Ｆ１と融着部１１との間に腹側部２が介在する場合もある。
【００３５】
また、本開示による実施形態では、上側接合部分Ｐ５Ｕにおけるマージン１２の横方向寸法Ｗ１２が、下側接合部分Ｐ５Ｌにおけるマージン１２の横方向寸法Ｗ１２よりも大きい。マージン１２の横方向寸法Ｗ１２が大きいと、マージン１２が融着部１１をより確実に覆うことができる。一方、着用者又は介護者が上側接合部分Ｐ５Ｕに触れる可能性は、着用者又は介護者が下側接合部分Ｐ５Ｌ触れる可能性よりも、高い。したがって、本開示による実施形態では、着用者又は介護者が不快に感じるのが更に制限される。
【００３６】
更に、本開示による実施形態では、上側接合部分Ｐ５Ｕにおける横方向引張応力が、下側接合部分Ｐ５Ｌにおける横方向引張応力よりも大きい。横方向引張応力が比較的小さいと、マージン１２の自由度が高くなり、マージン１２が融着部１１を覆わない位置に移動するおそれがある。これに対し、本開示による実施形態では、上側接合部分Ｐ５Ｕにおける横方向引張応力が比較的大きいので、マージン１２が、融着部１１の近くにより確実に維持される。また、横方向引張応力によりマージン１２がより収縮し、それによって、マージン１２自体のクッション性が高められる。
【００３７】
更に、本開示による実施形態では、上側接合部分Ｐ５Ｕに位置する融着部１１のそれぞれの面積Ａ１１が、下側接合部分Ｐ５Ｌに位置する融着部１１のそれぞれの面積Ａ１１よりも大きい。その結果、上側接合部分Ｐ５Ｕにおける接合強度が比較的高く維持されつつ、接合部５Ｌ，５Ｒに触れた着用者又は介護者が不快に感じるのが制限される。
【００３８】
更に、本開示による実施形態では、上側接合部分Ｐ５Ｕにおいて、マージン１２の横方向寸法Ｗ１２が融着部１１の横方向寸法Ｗ１１以上である。その結果、上側接合部分Ｐ５Ｕにおいて、マージン１２がより大きくされる。別の実施形態では、上側接合部分Ｐ５Ｕにおいて、マージン１２の横方向寸法Ｗ１２が融着部１１の横方向寸法Ｗ１１よりも小さい。更に別の実施形態では、下側接合部分Ｐ５Ｌにおいて、マージン１２の横方向寸法Ｗ１２は融着部１１の横方向寸法Ｗ１１以上である。更に別の実施形態では、下側接合部分Ｐ５Ｌにおいて、マージン１２の横方向寸法Ｗ１２は融着部１１の横方向寸法Ｗ１１よりも小さい。
【００３９】
更に、本開示による実施形態では、上側接合部分Ｐ５Ｕにおける融着部１１の占有率が、下側接合部分Ｐ５Ｌにおける融着部１１の占有率よりも小さい。或る部分における融着部１１の占有率は、当該或る部分の面積に対する、当該或る部分内に位置する融着部１１の面積Ａ１１の合計の割合で表される。このようにすると、上側接合部分Ｐ５Ｕの触り心地が、より柔軟になる。別の実施形態では、上側接合部分Ｐ５Ｕにおける融着部１１の占有率が、下側接合部分Ｐ５Ｌにおける融着部１１の占有率以上である。
【００４０】
更に、本開示による実施形態では、上側接合部分Ｐ５Ｕにおける融着部１１の横方向寸法Ｗ１１が、下側接合部分Ｐ５Ｌにおける融着部１１の横方向寸法Ｗ１１よりも小さい。その結果、上側接合部分Ｐ５Ｕにおいて、マージン１２をより大きくすることが可能となる。別の実施形態では、上側接合部分Ｐ５Ｕにおける融着部１１の横方向寸法Ｗ１１が、下側接合部分Ｐ５Ｌにおける融着部１１の横方向寸法Ｗ１１以上である。
【００４１】
更に、本開示による実施形態では、上側接合部分Ｐ５Ｕにおける融着部１１の輪郭がその全周にわたり曲線状である。その結果、融着部１１は、横方向Ｗだけでなく、横方向Ｗを横切る方向の応力を受けやすくなる。したがって、マージン１２が融着部１１を効率的覆うことが可能となる。また、融着部１１の輪郭の一部又は全部に直線部分があると、融着部１１の輪郭に角部が含まれることになる。その結果、角部によって、接合部５Ｌ，５Ｒの剛性が高められるおそれがあり、又は、接合部５Ｌ，５Ｒに触れた着用者等が不快に感じるおそれがある。融着部１１の輪郭がその全周にわたり曲線状であると、このような不具合が制限される。別の実施形態では、上側接合部分Ｐ５Ｕにおける融着部１１の輪郭の一部又は全部が直線状である。更に別の実施形態では、下側接合部分Ｐ５Ｌにおける融着部１１の輪郭がその全周にわたり曲線状である。更に別の実施形態では、下側接合部分Ｐ５Ｌにおける融着部１１の輪郭の一部又は全部が直線状である。
【００４２】
更に、本開示による実施形態では、上側接合部分Ｐ５Ｕにおいて融着部１１の縦方向寸法Ｌ１１が融着部１１の横方向寸法Ｗ１１以下である。その結果、上側接合部分Ｐ５Ｕの縦方向の柔軟性がより高められる。別の実施形態では、上側接合部分Ｐ５Ｕにおいて融着部１１の縦方向寸法Ｌ１１が融着部１１の横方向寸法Ｗ１１よりも大きい。更に別の実施形態では、下側接合部分Ｐ５Ｌにおいて融着部１１の縦方向寸法Ｌ１１が融着部１１の横方向寸法Ｗ１１以下である。更に別の実施形態では、下側接合部分Ｐ５Ｌにおいて融着部１１の縦方向寸法Ｌ１１が融着部１１の横方向寸法Ｗ１１よりも大きい。
【００４３】
更に、本開示による実施形態では、使い捨ておむつ１が大人用である。具体的には、例えば、自然状態又は収縮状態において、使い捨ておむつ１の横方向Ｗ寸法に対する、吸収性本体８の横方向Ｗ寸法の割合が５０％以下である。使い捨ておむつ１の横方向Ｗ寸法及び吸収性本体８の横方向Ｗ本体は例えば、自然状態にある腹側部２又は背側部３の、縦方向Ｌのほぼ中点において、測定される。
【００４４】
図７は、本開示による別の実施形態の接合部５Ｌを示している。図７に示される実施形態では、接合部５Ｌが上側接合部分Ｐ５Ｕと下側接合部分Ｐ５Ｌとに区分される。また、下側接合部分Ｐ５Ｌが更に、縦方向Ｌに関し、上側に位置する上側小部分Ｐ５ＬＵと、下側に位置する下側小部分Ｐ５ＬＬとに区分される。なお、図７に示される実施形態では、上側接合部分Ｐ５Ｕに位置する融着部１１、上側小部分Ｐ５ＬＵに位置する融着部１１、及び、下側小部分Ｐ５ＬＬに位置する融着部１１は、例えば、縦方向Ｌに平行な共通の整列軸線Ｋに沿って整列される。
【００４５】
図８（Ａ）には、上側接合部分Ｐ５Ｕに位置する融着部１１が示される。図８（Ａ）に示される融着部１１は、縦方向Ｌに一列に整列され、円形状をなす。融着部１１の半径は例えば１．４３ｍｍである。融着部１１の縦方向ＬのピッチＰＬＡは例えば３．８ｍｍである。上側接合部分Ｐ５Ｕでは融着部１１は横方向Ｗに一列に整列される。
【００４６】
図８（Ｂ）には、上側小部分Ｐ５ＬＵに位置する融着部１１が示される。図８（Ｂ）に示される融着部１１は、縦方向Ｌに一列に整列され、楕円形状をなす。融着部１１の横方向寸法ＷＢは例えば２．０ｍｍである。融着部１１の縦方向寸法ＬＢは例えば１．０ｍｍである。融着部１１の縦方向ＬのピッチＰＬＡは例えば３．０ｍｍである。
【００４７】
図８（Ｃ）には、下側小部分Ｐ５ＬＬに位置する融着部１１が示される。図８（Ｃ）に示される融着部１１は、縦方向Ｌに二列に整列され、半長円又は半楕円形状をなす。単一の融着部１１の横方向寸法ＷＣは例えば０．８ｍｍである。単一の融着部１１の縦方向寸法ＬＣは例えば１．２ｍｍである。融着部１１の縦方向ＬのピッチＰＬＣは例えば３．０ｍｍである。融着部１１の横方向ＷのピッチＰＷＣは例えば１．５ｍｍｍである。２つの融着部１１の横方向寸法ＷＣ２は例えば２．３ｍｍである。融着部１１の曲線状輪郭は例えば、横方向Ｗ外向きに配置される。
【００４８】
図７に示される実施形態において、下側接合部分Ｐ５Ｌにおける種々の数値（例えば、マージン１２の横方向寸法）は、上側少部分Ｐ５ＬＵにおける数値と、下側小部分Ｐ５ＬＬにおける数値とを用いて求められる。下側接合部分Ｐ５Ｌにおける数値は例えば、上側少部分Ｐ５ＬＵにおける数値及び下側小部分Ｐ５ＬＬにおける数値の、平均値（単純、加重）、中央値、最頻値、最大値、最小値、などから求められる。
【００４９】
図９及び図１０に示される別の実施形態では、上方接合部分Ｐ５Ｕに位置する融着部１１が、縦方向Ｌに延びる整列軸線ＫＵに沿って整列され、下方接合部分Ｐ５Ｌに位置する融着部１１が、縦方向Ｌに延びる整列軸線ＫＬに沿って整列される。その上で、図９に示される実施形態では、整列軸線ＫＵが整列軸線ＫＬよりも横方向Ｗ内側に位置する。図１０に示される実施形態では、整列軸線ＫＵが整列軸線ＫＬよりも横方向Ｗ外側に位置する。
【００５０】
本開示による更に別の実施形態では、接合部５Ｌ，５Ｒのうち縦方向Ｌの上部２／３の領域に位置する融着部１１の輪郭がその全周にわたり曲線状である。融着部１１の輪郭の一部又は全部に直線部分があると、融着部１１の輪郭に角部が含まれることになる。その結果、角部によって、接合部５Ｌ，５Ｒの剛性が高められるおそれがあり、又は、接合部５Ｌ，５Ｒに触れた着用者等が不快に感じるおそれがある。融着部１１の輪郭がその全周にわたり曲線状であると、このような不具合が制限される。
【００５１】
上述した本開示による種々の実施形態では、腹側部２及び背側部３の横方向両端同士が一対の接合部５Ｌ，５Ｒにより互いに接合される。別の実施形態（図示しない）では、腹側部２及び背側部３の横方向Ｗ一端同士が接合部により互いに接合され、腹側部２及び背側部３の横方向Ｗ他端同士は接合部とは異なるやり方で互いに接合される。
【符号の説明】
【００５２】
１    使い捨ておむつ
２    腹側部
３    背側部
５Ｌ，５Ｒ    接合部
１１    融着部
１２    マージン
Ｐ５Ｕ    上側接合部分
Ｐ５Ｌ    下側接合部分
【図１】
2020000648.tif 000003
【図２】
2020000648.tif 000004
【図３】
2020000648.tif 000005
【図４】
2020000648.tif 000006
【図５】
2020000648.tif 000007
【図６】
2020000648.tif 000008
【図７】
2020000648.tif 000009
【図８】
2020000648.tif 000010
【図９】
2020000648.tif 000011
【図１０】
2020000648.tif 000012